(57)【要約】【課題】１つで完全な音階を揃える使用が便利なハーモニカを提供する。【解決手段】左右方向に延伸してなる横長の隔板の上下両方に複数の仕切りによってそれぞれ基音を発する主発音部の通気路と、基音とは所要音程異なる音を発する副発音部の通気路とをが左右に分離してある発音ユニットが左右一列に配列している本体と、それぞれ上下から前記複数の仕切りに橋接されていて前記主発音部の通気路と前記副発音部の通気路とを前方のみに開口した空気室になさせており、且つ、前記主発音部の通気路に対応した第１のリードと、前記副発音部に対応していて前記第１のリードと半音の音程に応じて異なる第２のリードとが設けられている２のリード取付板と、前記本体に前記隔板に沿って左右摺動可能に設けられており、その左右への摺動されることによってその前記主発音部の通気路及び前記副発音部の通気路のいずれかを選択的に閉鎖することができる切換手段とを備えている。【選択図】  図２
2006119576.tif 000002
【特許請求の範囲】
【請求項１】
左右方向に延伸してなる横長の隔板の上下両方に複数の仕切りによってそれぞれ基音を発する主発音部の通気路と、基音とは所要音程異なる音を発する副発音部の通気路とが左右に分離してある発音ユニットが左右一列に配列している本体と、
それぞれ上下から前記複数の仕切りに橋接されていて前記主発音部の通気路と前記副発音部の通気路とを前方のみに開口した空気室になさせており、且つ、前記主発音部の通気路に対応した第１のリードと、前記副発音部に対応していて前記第１のリードと半音の音程に応じて異なる第２のリードとが設けられている２のリード取付板と、
前記本体に前記隔板に沿って左右摺動可能に設けられており、その左右への摺動されることによってその前記主発音部の通気路及び前記副発音部の通気路のいずれかを選択的に閉鎖することができる切換手段とを備えていることを特徴とするハーモニカ。
【請求項２】
前記本体に、それぞれ前記発音ユニットと対応した上下二列の複数の吹口を有する前面が前記隔板の前縁と間隔をあけて設けられていることを特徴とする請求項１に記載のハーモニカ。
【請求項３】
前記切換手段は、前記前面と前記隔板との間に、第１の位置と第２の位置との間に左右摺動可能に設けられており、左右一列の通気孔が形成されていて前記左右摺動に応じて前記第１の位置で前記上下２列の主発音部の通気路ともまたは前記第２の位置で前記上下２列の副発音部の通気路とも連通することができる摺動板を有することを特徴とする請求項１に記載のハーモニカ。
【請求項４】
前記本体に、前記摺動板を常時に第１の位置にあるように付勢させる弾性付勢手段が設けられていることを特徴とする請求項３に記載のハーモニカ。
【請求項５】
前記弾性付勢手段はねじりばねであることを特徴とする請求項４に記載のハーモニカ。
【請求項６】
前記切換手段は、更に、前記隔板と前記前面との間に設けられており、その前側面にそれぞれ前記上下２列の吹口に対応した複数の前通孔が形成されており、且つ、その後側面にそれぞれ前記主発音部の通気路及び前記副発音部の通気路と順番に対応した複数の後通孔が形成されており、また、前記摺動板がその前側面とその後側面との間に摺動可能に設けられている枠体を有することを特徴とする請求項３に記載のハーモニカ。
【請求項７】
前記本体に、２のカバーが上下からそれぞれ前記２のリード取付板を覆うように設けられていてその中の機構を保護すると共に、前記空気室内の共鳴を増加させることができることを特徴とする請求項１に記載のハーモニカ。
【発明の詳細な説明】
【技術分野】
【０００１】
本発明はハーモニカに関し、特に、基音と半音とを併有するハーモニカに関する。
【背景技術】
【０００２】
従来のハーモニカは、図１に示すような複音ハーモニカがある。この複音ハーモニカは、本体１１と、２のリード取付板１２と、２のカバー１３とを備えている。
【０００３】
本体１１は左右方向に延伸してなっている横長の隔板１１１の上下両方に複数の仕切り１１２によってそれぞれ基音を発する発音部の通気路１１３が左右一列に配列している。
【０００４】
２のリード取付板１２は、それぞれ上下から複数の仕切り１１２に橋接されていて通気路１１３を前方のみに開口した空気室になさせている。また、２のリード取付板１２に通気路１１３に対応したリード１２１が設けられている。
【０００５】
２のカバー１３は、上下からそれぞれ２のリード取付板１２を覆うように設けられていてその中のリード１２１などの機構を保護する上、前記空気室内の共鳴を増加させることができる。
【０００６】
しかしながら、この複音ハーモニカは、基音だけを出すので、クラシックやジャズなどの転調や半音階が大変多く使われる曲を演奏する場合、他にキーが異なる複数の半音を出すハーモニカと合わせて使用する必要があるため、演奏にはかなり制限がある。
【０００７】
他に、それぞれキーが異なる複数の複音ハーモニカが回転可能に回転軸上に取付けられているハーモニカがあるが、このようなハーモニカは、演奏する時には、回転軸を回転させることにより、キーが異なるハーモニカを変える必要があるので、使用上にはかなり不便であるという欠点がある。
【発明の開示】
【発明が解決しようとする課題】
【０００８】
上記に鑑みて、本発明は、１つで完全な音階を揃える使用が便利なハーモニカを提供しようとすることを目的とする。
【課題を解決するための手段】
【０００９】
前記目的を達成するために、本発明は、左右方向に延伸してなる横長の隔板の上下両方に複数の仕切りによってそれぞれ基音を発する主発音部の通気路と、基音とは所要音程異なる音を発する副発音部の通気路とが左右に分離してある発音ユニットが左右一列に配列している本体と、それぞれ上下から前記複数の仕切りに橋接されていて前記主発音部の通気路と前記副発音部の通気路とを前方のみに開口した空気室になさせており、且つ、前記主発音部の通気路に対応した第１のリードと、前記副発音部に対応していて前記第１のリードと半音の音程に応じて異なる第２のリードとが設けられている２のリード取付板と、前記本体に前記隔板に沿って左右摺動可能に設けられており、その左右への摺動されることによってその前記主発音部の通気路及び前記副発音部の通気路のいずれかを選択的に閉鎖することができる切換手段とを備えていることを特徴とするハーモニカを提供する。
【発明の効果】
【００１０】
上記構成によると、本発明は、半音の音程に応じて異なる第１のリードと第２のリードとが同一のリード取付板に設けられている上、前記切換手段が左右へ摺動されることによって、前記主発音部の通気路及び前記副発音部の通気路のいずれかを選択的に閉鎖することで、音程を変えることができるので、１つのハーモニカにおいて、基音だけでなく半音も出し、演奏中にキーが異なる複数のハーモニカを変える必要がなく、使用上には便利になる。
【発明を実施するための最良の形態】
【００１１】
以下、図面を参照しながら、本発明の好ましい実施形態を説明する。
【００１２】
図２及び図３に示すように、本実施形態のハーモニカは、本体３と、２のリード取付板４と、２のカバー５と、切換手段６とを備えている。
【００１３】
本体３は左右方向に延伸してなる横長の隔板３１の上下両方に複数の仕切り３１２によってそれぞれ基音を発する主発音部の通気路３１３と、基音とは所要音程異なる音を発する副発音部の通気路３１４とが左右に分離してある発音ユニットが左右一列に配列している。また、本体３に、それぞれ前記発音ユニットと対応した上下二列の複数の吹口３２１を有する前面３２が隔板３１の前縁３１１と間隔をあけて設けられている。
【００１４】
２のリード取付板４は、それぞれ上下から複数の仕切り３１２に橋接されていて主発音部の通気路３１３と副発音部の通気路３１４とを前方のみに開口した空気室になさせている。また、図４に示すように、２のリード取付板４には、主発音部の通気路３１３に対応した第１のリード４１と、副発音部の通気路３１４に対応していて第１のリード４１と半音の音程に応じて異なる第２のリード４２とが設けられている。ただし、全ての音階に第２のリードを設置する必要がない。例えば、ＭｉとＦａやＳｉとＤｏが半音の音程に異なるので、ＭｉとＦａやＳｉとＤｏの間に第２のリード４２を設置する必要がない。なお、２のリード取付板４にそれぞれ、左右方向に沿って２の長孔４３が形成されている。
【００１５】
切換手段６は、本体３に隔板３１に沿って左右摺動可能に設けられている。切換手段６が左右へ摺動されることによって主発音部の通気路３１３及び副発音部の通気路３１４のいずれかを選択的に閉鎖することができる。
【００１６】
次に、図５及び図６を参照しながら、切換手段６の構成の詳細について説明する。切換手段６は、摺動板６１と、枠体６２とを有する。枠体６２は、隔板３１と前面３２との間に設けられている上、その上下両側がそれぞれ２のリード取付板４の長孔４３に嵌挿して２のリード取付板４の間に保持されている。枠体６２の前側面６２１にそれぞれ上下２列の吹口３２１に対応した複数の前通孔６２３が形成されており、且つ、その後側面６２２にそれぞれ主発音部の通気路３１３及び副発音部の通気路３１４と順番に対応した複数の後通孔６２４が形成されている。
【００１７】
摺動板６１は、枠体６２の前側面６２１と後側面６２２との間に、第１の位置（図７の仮想線Ａ）と第２の位置（図７の仮想線Ｂ）との間に左右摺動可能に設けられている。また、摺動板６１に、左右一列の通気孔６１１が形成されていて前記左右摺動に応じて前記第１の位置で上下２列の主発音部の通気路３１３ともまたは第２の位置で上下２列の副発音部の通気路３１４とも連通することができる。
【００１８】
また、本体３に、摺動板６１を常時に第１の位置にあるように付勢させる弾性付勢手段としてのねじりばね６３が設けられている。本実施形態において、摺動板６１の一側辺にレバー６１２がついている。ねじりばね６３の一端がレバー６１２に設けられている。
【００１９】
２のカバー５は、本体３に、上下からそれぞれ２のリード取付板４を覆うように設けられていてその中の第１のリード４１及び第２のリード４２などの機構を保護する上、前記空気室内の共鳴を増加させることができる。
【００２０】
図７に示すように、摺動板６１が第１の位置（図７の仮想線Ａ）にある時、通気孔６１１が上下２列の主発音部の通気路３１３とも連通し、吹口３２１に当てた唇から気流を吹いたり吸ったりすることによって、気流が該当する主発音部の通気路３１３に対応した第１のリード４１を振動させ、基音を出す。キーを変えよとする場合、図８に示すように、レバー６１２を押圧することにより、摺動板６１が第２の位置（図８の仮想線Ｂ）まで摺動される。この場合、通気孔６１が上下２列の副発音部の通気路３１４とも連通し、吹口３２１に当てた唇から気流を吹いたり吸ったりすることによって、気流が該当する副発音部の通気路３１４に対応した第２のリード４２を振動させ、基音と半音の音程に応じて異なる音を出す。
【００２１】
上記のように、本実施形態において、本発明は、半音の音程に応じて異なる第１のリード４１と第２のリード４２とが同一のリード取付板４に設けられている上、切換手段６が左右へ摺動されることによって、主発音部の通気路３１３及び副発音部の通気路３１４のいずれかを選択的に閉鎖することで、音程を変えることができるので１つのハーモニカにおいて、基音だけでなく半音も出し、演奏中にキーが異なる複数のハーモニカを変える必要がなく、使用上には便利になる。
【産業上の利用可能性】
【００２２】
上述した実施形態から分かるように、本発明は、１つで完全な音階を揃える使用が便利なハーモニカを提供することができるので、クラシックやジャズなどの転調や半音階が大変多く使われる曲を演奏することができる。
【図面の簡単な説明】
【００２３】
【図１】従来のハーモニカを示す分解図。
【図２】本発明の実施形態のハーモニカを示す分解図。
【図３】本発明の実施形態のハーモニカを示す上面図。
【図４】本発明の実施形態のハーモニカを示す上面図。
【図５】本発明の実施形態のハーモニカを示す側面断面図。
【図６】本発明の実施形態のハーモニカにおける切換手段を示す斜視図。
【図７】本発明の実施形態のハーモニカの摺動板が第１の位置にある状態を示す断面図。
【図８】本発明の実施形態のハーモニカの摺動板が第２の位置にある状態を示す断面図。
【符号の説明】
【００２４】
３      本体
３１    隔板
３１１  前縁
３１２  仕切り
３１３  主音部の通気路
３１４  副音部の通気路
３２    前面
３２１  吹口
４      リード取付板
４１    第１のリード
４２    第２のリード
４３    長孔
５      カバー
６      切換手段
６１    摺動板
６１１  通気孔
６１２  レバー
６２    枠体
６２１  前側面
６２２  後側面
６２３  前通孔
６２４  後通孔
【図１】
2006119576.tif 000003
【図２】
2006119576.tif 000004
【図３】
2006119576.tif 000005
【図４】
2006119576.tif 000006
【図５】
2006119576.tif 000007
【図６】
2006119576.tif 000008
【図７】
2006119576.tif 000009
【図８】
2006119576.tif 000010